Podtech/llm-jp-corpus-v4-ja_patent huggingface dataset:
(57)【要約】【課題】表面の汚れをその都度拭くなどその作業が極めて煩雑であったり、また、作業中に、体温や、あるいは、外気との温度差により、ゴーグルが曇ったりするのを防止し、簡易な方法により、表面の汚れをぬぐい取る作業をすることなく、また、面が曇ることのない簡易防塵カバーを開発・提供することにある。【解決手段】透明なシート材、あるいは色付きの半透明なシート材を、顔面を覆う大きさにカットして覆い面（１）設け、該覆い面（１）の上端部に、一または複数の両面テープ、あるいはベルクロファスナー等の固定部材（２）を設け、一方、安全帽、ヘルメット等の帽子（Ｘ）の内壁面の縁部（Ｙ）に、前記固定部材（２）で貼着することを特徴とする簡易防塵カバー。【選択図】　　　　図３
0003098000.tif 000002
【実用新案登録請求の範囲】
【請求項１】
透明なシート材、あるいは色付きの半透明なシート材を、顔面を覆う大きさにカットして覆い面（１）設け、該覆い面（１）の上端部に、一または複数の両面テープ、あるいはベルクロファスナー等の固定部材（２）を設け、一方、安全帽、ヘルメット等の帽子（Ｘ）の内壁面の縁部（Ｙ）に、前記固定部材（２）で貼着することを特徴とする簡易防塵カバー。
【考案の詳細な説明】
【０００１】
【考案の属する技術分野】
本考案は、簡易防塵カバーに関するものである。
【０００２】
【従来の技術】
従来、建築や土木での作業では、安全帽を被り、労災事故を少なくしている。
【０００３】
また、その際、物を削ったり、切断したり、あるいは塗料を塗布する作業の際、その塵埃を防ぐために、ゴーグルや堅牢な保護面を設けたりして、目や顔面を保護している。
【０００４】
しかし、表面の汚れたコーグルを、その都度拭くなどその作業が極めて煩雑であったり、また、作業中に、体温や、あるいは、外気との温度差により、ゴーグルが曇ったりするため、作業がしにくく、使用し難いものであった。
【０００５】
【考案が解決しようとする課題】
そこで、この考案は、上記の各欠点を除去するために考案されたものであり、簡易な方法により、表面の汚れをぬぐい取る作業をすることなく、また、面が曇ることのない簡易防塵カバーを開発・提供することにある。
【０００６】
【課題を解決するための手段】
そのため、この考案は、透明なシート材、あるいは色付きの半透明なシート材を、顔面を覆う大きさにカットして覆い面を設け、該覆い面の上端部に、一または複数の両面テープ、あるいはベルクロファスナー等の固定部材を設け、一方、ヘルメット等の帽子の内壁面の縁部に、前記固定部材で貼着することを特徴とする簡易防塵カバーである。
【０００７】
【考案の実施の形態】
次に、この考案の一実施例を図面に基づいて詳細に説明すると、透明なシート材、あるいは色付きの半透明なシート材を、顔面を覆う大きさにカットして覆い面（１）設け、該覆い面（１）の上端部に、一または複数の両面テープ（図１参照）、あるいはベルクロファスナー（図２参照）等の固定部材（２）を設け、一方、安全帽、ヘルメット等の帽子（Ｘ）の内壁面の縁部（Ｙ）に、前記固定部材（２）で貼着することを特徴とする簡易防塵カバーから構成されるものである。
【０００８】
尚、透明なシート材は、やや可撓性を有する素材であって、顔面を覆う大きさであって、下端部の両角部はアールに形成して作業しやすく形成している。
【０００９】
また、色付きの半透明なシート材は、例えば、黄色・緑色のものを用いれば、遮光性にすぐれ、ガス溶接・ガス溶断の作業に使用できるものである。
【００１０】
【考案の効果】
この考案によると、透明なシート材を、顔面を覆う大きさにカットして覆い面（１）設け、簡単・安価に設けることが出来、また、色付きの半透明なシート材を用いれば、遮光性にすぐれ、ガス溶接・ガス溶断の作業に用いることができ、覆い面が、泥や塗料等で汚れた場合には、掃除することなく、簡単に新しい覆い面に取り替えて使用するため、掃除等の煩雑さがない。
【００１１】
また、前期覆い面（１）の上端部に、一または複数の両面テープ、あるいはベルクロファスナー等の固定部材（２）を設け、一方、安全帽、ヘルメット等の帽子（Ｘ）の内壁面の縁部（Ｙ）に、前記固定部材（２）で貼着するため、簡単に装着でき、また、顔面全体をすっぽりと覆うことがないため、覆い面（１）が曇ったりすることがなく、作業し易い。また、ヘルメット等の帽子（Ｘ）と覆い面（１）との間に隙間がないため、塵や粉塵等が入り難く、特に、上向きの作業の場合適している。
【００１２】
さらに、前期覆い面（１）は一または複数の両面テープ、あるいはベルクロファスナー等の固定部材（２）を設けて構成するため、フィルムの大きさを自由にカットすることもでき、また、作業に合わせて、縦・横に替えて使用することも出来る等極めて有益なる効果を奏する。
【図面の簡単な説明】
【図１】この考案の一実施例を示す一部欠截正面図である。
【図２】この考案の他の実施例を示す一部欠截正面図である。
【図３】この考案の使用状態の一例を示す断面図である。
【符号の説明】
１　覆い面
２　固定部材
Ｘ　帽子
Ｙ　帽子の内壁面の縁部
【図１】
0003098000.tif 000003
【図２】
0003098000.tif 000004
【図３】
0003098000.tif 000005
(57)【要約】【課題】ラベルを衣類の布地より取り外し、取り付け自在として、ファッション性やコレクターズアイテムとしての新規な機能を有すること。【解決手段】衣服、パンツ等の衣類に貼り付けられるラベルであって、このラベルが衣類の布地に対し貼着材を介して着脱自在に装着される構成としている。また、貼着材がマジックテープ（登録商標）、ファスナー、ホック、ボタン、磁石のいずれかである構成としている。【選択図】　　　　　図１
0003097998.tif 000002
【実用新案登録請求の範囲】
【請求項１】
衣服、パンツ等の衣類に貼り付けられるラベルであって、このラベルが衣類の布地に対し貼着材を介して着脱自在に装着されていることを特徴とする衣類用ラベル。
【請求項２】
上記貼着材がマジックテープ（登録商標）、ファスナー、ホック、ボタン、磁石のいずれかであることを特徴とする請求項１記載の衣類用ラベル。
【考案の詳細な説明】
【０００１】
【考案の属する技術分野】
本考案は、衣類に貼り付けられるラベルに関するものである。
【０００２】
【従来の技術】
従来、衣服やパンツ特にジーンズ等の衣類には、その商品名や製造元等がわかるようにネームが焼印されたラベルを、衣服では裏地に、またパンツではパンツ後側のベルト用の通し紐近傍に縫い合わせており、このラベルは単に表示機能を有するアイテムでしかなかった。
【０００３】
【考案が解決しようとする課題】
ところが、この衣類用ラベルには、単に衣類用の表示としての機能があるだけで、ファッションとしての機能やコレクターズアイテムとしての機能を有する幅広い楽しみが考えられなかった。
【０００４】
本考案は、このような従来の衣類用ラベルが有していた課題を解決したものであって、ラベルを衣類の布地より取り外し、取り付け自在として、ファッション性やコレクターズアイテムとしての新規な機能を有することを目的とした衣類用ラベルを提供するにある。
【０００５】
【課題を解決するための手段】
本考案の衣類用ラベルは、衣服、パンツ等の衣類に貼り付けられるラベルであって、このラベルが衣類の布地に対し貼着材を介して着脱自在に装着される構成としている。
【０００６】
また、貼着材がマジックテープ（登録商標）、ファスナー、ホック、ボタン、磁石のいずれかである構成としている。
【０００７】
【考案の実施の形態】
次に、本考案を図に基づき説明する。
図中、図１は本考案実施例のパンツを示す概略背面図、図２は本考案実施例の要部を示す部分拡大図である。
以下、衣服、パンツ等の衣類の代表例としてパンツに基づいて説明する。
パンツ１は、図１に示すように、後側端にポケット２を備え、ベルト用の通し紐３、３をパンツの上端部外周に複数設け，着脱自在のラベル４が装着されている。
【０００８】
このラベル４は、通常ベルト用の通し紐と通し紐との間に設けているが、特にその位置に限定されるものではなく、例えばポケット２の外布側に設けても、またポケットの横側に設けてもよい。
このラベル４の大きさは大小様々で、特に限定されるものではなく、その形状にあっても四角形や台形等様々で全く限定されるものではない。勿論、このラベルに記載されるロゴマークや文字、その他の絵についても同様に全く限定されるものではない。
【０００９】
このパンツ１は、図２に示すように、ラベル４と布地５との間にラベルを貼り付ける貼着材６を備えている。
【００１０】
この貼着材は、マジックテープ（登録商標）からなっていて、布地の表側に一方のマジックテープ（登録商標）のフック側を固定しており、ラベル４の裏側に他方のマジックテープ（登録商標）のループ側を固定している。
【００１１】
このマジックテープ（登録商標）の貼着材は、ラベル４の水平方向の両端に設けているが、着け易く、外し易ければ垂直方向の両端またはクロス状に設けてもよい。
【００１２】
この貼着材６はマジックテープ（登録商標）以外に布地５とラベル４の端に設けたファスナーであってもよく、更に、布地とラベルの各端に設けたホックまたは布地にボタンを固定し、ラベルにボタン用孔を設けたものであってもよく、布地とラベルの各端に設けた磁石であってもよく、更に、このラベルを有する衣類として衣服やパンツを述べたが、帽子や手袋等に使用しても何ら支障をきたすものではない。更にまた、不要なときにはラベルを取り外しておき、必要なときに取り付けておくこともでき、またラベルを取り替えて、別のラベルを貼り付けることもできる。
【００１３】
【考案の効果】
以上のように、本考案の衣類用ラベルは、衣服、パンツ等の衣類に貼り付けられるラベルであって、このラベルが衣類の布地に対し貼着材を介して着脱自在に装着される構成としているので、ラベルを衣類の布地より取り外し、取り付け自在として、単に衣類用の表示としての機能だけでなく、ファッション性やコレクターズアイテムとしての新規な機能を有することができる。
【００１４】
また、貼着材がマジックテープ（登録商標）、ファスナー、ホック、ボタン、磁石のいずれかである構成としているので、衣類の布地とラベルとが容易に着脱でき、ファッション性の働き及びコレクターズアイテムとしての収集を容易にするという顕著な効果を期待するに至ったのである。
【図面の簡単な説明】
【図１】本考案実施例のパンツを示す概略背面図。
【図２】本考案実施例の要部を示す部分拡大図。
【符号の説明】
１　パンツ
２　ポケット
３　ベルト用の通し紐
４　ラベル
５　布地
６　貼着材
【図１】
0003097998.tif 000003
【図２】
0003097998.tif 000004
【手続補正書】
【提出日】平成15年7月22日(2003.7.22)
【手続補正１】
【補正対象書類名】明細書
【補正対象項目名】実用新案登録請求の範囲
【補正方法】変更
【補正の内容】
【実用新案登録請求の範囲】
【請求項１】
衣服、パンツ等の衣類に貼り付けられるラベルであって、このラベルが衣類の布地に対し貼着材を介して着脱自在に装着されていることを特徴とする衣類用ラベル。
【請求項２】
上記貼着材が面ファスナー、ファスナー、ホック、ボタン、磁石のいずれかであることを特徴とする請求項１記載の衣類用ラベル。
(57)【要約】　　　（修正有）【課題】持ち運びができ、かつ高さ調整を確実に行うことができる高さ調整が可能な昇降運動用踏台の提供。【解決手段】肉厚の木製踏台の両側面の下端部に設けた切欠が位置する側の木製踏台の底面の両端部に、間隔を置いて穴を穿設してなる本体と、本体の木製踏台の縦幅と同一長の縦幅を有し、横幅Ｗ２が木製踏台１の厚みＴと同一長で、厚みＴ’が横幅の２倍長を有する木製角材片５の上面と側面下部に、木製踏台１の穴に嵌入する突起６を立設してなる一対の高さ調整部材Ｂとから構成される。【選択図】図２
0003097917.tif 000002
【実用新案登録請求の範囲】
【請求項１】
四角形状の肉厚の木製踏台（１）の両側面の下端部に対向して手掛け用の切欠（２）を設け、該切欠（２）が位置する側の前記木製踏台（１）の底面（３）の両端部の対向する位置に、間隔を置いて穴（４）を穿設してなる本体（Ａ）と、該本体（Ａ）の木製踏台（１）の縦幅（Ｗ１）と同一長の縦幅（Ｗ１’）を有し、横幅（Ｗ２）が前記木製踏台（１）の厚み（Ｔ）と同一長で、厚み（Ｔ’）が横幅（Ｗ２）の２倍長を有する木製角材片（５）の上面と側面下部に、前記木製踏台（１）の穴（４）に嵌入する突起（６）を立設してなる一対の高さ調整部材（Ｂ，Ｂ）とからなることを特徴とする高さ調整が可能な昇降運動用踏台
【考案の詳細な説明】
【０００１】
【考案の属する技術分野】
この考案は、高さ調整が可能な昇降運動用踏台に関するものである。
【０００２】
【従来の技術】
従来、昇降運動用踏台としては、種々のタイプのものが知られている（例えば、特許文献１）。高齢者の運動には、有酸素運動、筋力運動、柔軟性運動が必要である言われており、なかでも自分の体をしつっかりと支え転倒しないためには、筋力強化運動が必要である。
【０００３】
そのためには、階段を利用した昇降運動や市販されている昇降運動用踏台を利用した昇降運動が行われているが、階段を利用する方法は、高さ調整ができないという欠点と位置が固定されてしまうので、運動中に目にする風景等が常に同一で、単調であるため、飽きがくるという欠点があった。
【０００４】
昇降運動用踏台は、踏台を積み重ねて、高さを調整するというタイプのものは、下の踏台の上にただ単に別の踏台を載せるという方式のものであったので、例えば、利用者が斜めから踏台に乗ると、踏台が滑り、それに連れて、転倒するという不具合が生じていた。
【０００５】
【特許文献１】特開平１０−１９２４４５号
【０００６】
【考案が解決しようとする課題】
この考案は、従来の技術で記述した欠点や不具合を解消するためになされたもので、持ち運びができ、かつ高さ調整を確実に行うことができる高さ調整が可能な昇降運動用踏台の提供を目的とするものである。
【０００７】
【課題を解決するための手段】
この考案の高さ調整が可能な昇降運動用踏台は、四角形状の肉厚の木製踏台の両側面の下端部に対向して手掛け用の切欠を設け、該切欠が位置する側の前記木製踏台の底面の両端部の対向する位置に、間隔を置いて穴を穿設してなる本体と、該本体の木製踏台の縦幅と同一長の縦幅を有し、横幅が前記木製踏台の厚みと同一長で、厚みが前記横幅の２倍長を有する木製角材片の上面と側面下部に、前記木製踏台の穴に嵌入する突起を立設してなる一対の高さ調整部材とからなることを特徴とするものである。
【０００８】
【考案の実施の形態】
この考案の実施の形態の一例を図面を参照しながら説明するに、本体Ａは、図１〜図２に示すように、四角形状の肉厚の木製踏台１の両側面の下端部に対向して手掛け用の切欠２を設け、切欠２が位置する側の前記木製踏台１の底面３の両端部の対向する位置に、間隔を置いて穴４を穿設している。
【０００９】
木製踏台１の材質は、通常、杉、檜等の角材が使用される。なお、図示は省略したが、昇降運動の際に、足を乗り出す側の木製踏台１の稜線部に若干丸味みを付けておくと、乗り降りが楽にできるので、便利である。
【００１０】
また、木製踏台１の上面に、指圧用の凹凸又は溝を設けておく等は自由である。本例では、穴４を片側に各二個穿設した例を示したが、二個以上穿設してもよい。なお、穴２の深さは、木製踏台１の厚みＴの２／３程度が適当である。
【００１１】
高さ調整部材Ｂは、図３に示すように、本体Ａの木製踏台１の縦幅Ｗ１と同一長の縦幅Ｗ１’を有し、横幅Ｗ２が木製踏台１の厚みＴと同一長で、厚みＴ’が横幅Ｗ２の２倍長を有する木製角材片５の上面と側面下部に、木製踏台１の穴４に嵌入する突起６を立設している。
【００１２】
なお、突起６の高さは、木製踏台１の穴４の深さよりも若干低目で、穴４にややきつく嵌入できる寸法に成形されている。
【００１３】
実施に際しては、まず、本体Ａのみで、昇降運動を行い、筋力を強化し、筋力がある程度強化されると、次に、高さ調整部材Ｂを使用する。
【００１４】
まず、一対の高さ調整部材Ｂ，Ｂの木製角材片５の側面下部の突起６を、図４（ａ）に示すように、本体Ａの木製踏台１の穴４に嵌入する。これによって、木製踏台１の高さは、２倍に嵩上げされる。
【００１５】
本体Ａを２倍に高くした状態で、昇降運動を継続し、筋力がさらに強化されると、次に、一対の高さ調整部材Ｂ，Ｂの木製角材片５の上面の突起６を、図４（ｂ）に示すように、本体Ａの木製踏台１の穴４に嵌入する。これによって、木製踏台１の高さは、３倍に嵩上げされる。
【００１６】
出願人が実施した実験結果では、同一早さで昇降運動をした場合には、本体の木製踏台１の高さが、３倍になると、エネルギ−の代謝は約１，５倍よくなることが分かっている。すなわち、木製踏台１の高さが、３倍になると、エネルギ−を１，５倍だけ多く消費できると言うことである。
【００１７】
【考案の効果】
この考案は上述のように構成されているので、次のような効果を呈する。
（１）持ち運びが自由にできるので、好みの場所で昇降運動ができる。
（２）筋力強化の程度に合わせて、踏台の高さを三段階に調節できる。
（３）高さ調整は、本体の踏台の穴に、高さ調整部材の突起を嵌入させる方式であるので、本体と高さ調整部材の結合は強固であり、本体と高さ調整部材とがずれるというような不具合は発生しない。
（４）全ての部品が自然の木材から構成されているので、フィット性がよい。
【図面の簡単な説明】
【図１】考案の本体の一実施例を示す本体の概略斜視図
【図２】考案の一実施例を示す本体の底面図
【図３】考案の一実施例を示す高さ調整部材の概略斜視図
【図４】使用状態の一例を示す側面図
【符号の説明】
１　四角形状の肉厚の木製踏台
２　手掛け用の切欠
３　木製踏台の底面
４　穴
５　木製角材片
６　突起
Ａ　本体
Ｂ　高さ調整部材
Ｔ　木製踏台の厚み
Ｔ’木製角材片の厚み
Ｗ１木製踏台の縦幅
Ｗ１’木製角材片の縦幅
Ｗ２　木製角材片の横幅
【図１】
0003097917.tif 000003
【図２】
0003097917.tif 000004
【図３】
0003097917.tif 000005
【図４】
0003097917.tif 000006
(57)【要約】【課題】首周り、襟元および胸部を主として対象とした部分的な衣服は知られておらず、急な冠婚葬祭等の行事、旅行等において、身体上部全体を対象とした衣服を使用あるいは携行し使用している。また、高年齢層の婦女等においては首周り、襟元にアクセサリーを装着する場合に、既に使用している着衣に加えて、首周りを簡単に覆う衣服が知られていないと同時にアクセサリーをあらかじめ装着した衣服も知られていない。【解決手段】首周り、襟元および胸部を覆う部分から主として構成される衣服および前記衣服にアクセサリーをあらかじめ装着した衣服。【選択図】　図３
0003097913.tif 000002
【実用新案登録請求の範囲】
【請求項１】
首周り、襟元、および胸部を覆う部分を主として構成される衣服。
【請求項２】
前記衣服にアクセサリーをあらかじめ装着してあることを特徴とする請求項１に記載の衣服。
【考案の詳細な説明】
【０００１】
【考案の属する技術分野】
本考案は、首周り、襟元および胸部を覆う部分を主として構成される衣服と、この衣服にあらかじめアクセサリーを装着した衣服により、衣服交換およびアクセサリー交換を容易にした新規のアクセサリー付き衣服に関するものである。
【０００２】
【従来の技術】
従来、衣服は保温を初めとする身体保護および装飾等の目的で使用されている。一方、アクセサリーは日常および冠婚葬祭等の行事において装飾性を向上するために、衣服に直接装着しない形態で使用されている。
【０００３】
【考案が解決しようとする課題】
しかしながら、衣服の中で上着の多くは身体上部全体を対象としており、首周り、襟元および胸部を主として対象とした部分的な衣服は知られておらず、冠婚葬祭等の行事、旅行等において、身体上部全体を対象とした衣服を使用あるいは携行し使用している。
【０００４】
また、高年齢層の婦女等においては首周り、襟元にアクセサリーを装着する場合に、既に使用している着衣に加えて、首周りを簡単に覆う衣服が知られていないと同時にアクセサリーを装着した衣服も知られていない。
【０００５】
【課題を解決するための手段】
上記の課題を解決するために、本考案では、首周り、襟元および胸部を覆う部分から主として構成される衣服とした。
【０００６】
また、本考案は、前記衣服にアクセサリーをあらかじめ装着した衣服とした。
【０００７】
【考案の実施の形態】
本考案になるアクセサリー付き衣服について、図面に示す具体的な実施例にもとづいて説明する。
図１および図２は、首周り、襟元および胸部を覆う部分から主として構成される衣服であり、図３は、図１にアクセサリーをあらかじめ装着してある衣服である。
【０００８】
図１に示す衣服は首周り、襟元、胸部、肩および背面部から主として構成され、さらに着脱のために開くことのできる、首周りの衣服部分を装着時に容易に接合するためのファスナー（１）、衣服下部を容易に接合するためのボタン（２）および伸縮性のひも（３）により構成される。
【０００９】
図３に示すアクセサリー付きの衣服は、図１の衣服にアクセサリー（４）を糸等細い線状の装着用部材にて、あらかじめ装着している。
【００１０】
【考案の結果】
本考案は、上記のように構成され、首周り、襟元および胸部の衣服を容易に着用することにより、衣服の有する装飾性を、必要とする状況に合わせ短時間で変化させることが可能となり、舞台衣装の交換、急な冠婚葬祭での衣服全体を交換することを不要とする等、優れた効果を発揮する。
【００１１】
さらに、アクセサリー付き衣服は、アクセサリーを別に用意することなく、衣服が状況に応じて求められる装飾性を、あらかじめ準備しておくことが可能となり、旅先での冠婚葬祭等にて必要とされる衣服とともに装飾品を簡便に持ち運ぶことが可能となり、優れた効果を発揮する。
【図面の簡単な説明】
【図１】図１は、本考案の基本となる首周り、襟元、および胸部を覆う部分を主として構成される衣服を示した正面からの斜視図である。
【図２】図２は、図１の背面からの斜視図である。
【図３】図３は、図１の衣服にアクセサリーをあらかじめ装着した衣服の正面からの斜視図である。
【符号の説明】
１　ファスナー
２　ボタン
３　伸縮性のひも
４　アクセサリー
【図１】
0003097913.tif 000003
【図２】
0003097913.tif 000004
【図３】
0003097913.tif 000005
(57)【要約】【課題】ドレッシングなど比重の異なる液体を容器から注ぐとき比重の小さい油脂などの余分な流出を防ぐことが出来るようにする。【解決手段】容器の注ぎ口に容器内部まで入る管を取り付け、その側面に切り込みをほどこした、容器を傾け内部の液体を注ぐとき、切り込みを下側にして傾けることで比重の小さい油脂などの余分な流出を防ぐようにした。【選択図】　図２
0003097915.tif 000002
【実用新案登録請求の範囲】
【請求項１】
容器の注ぎ口に容器内部まで入る管１を取り付け、その側面に切り込みＥをほどこし比重の異なる液体の取り出し量を調整可能とする機能を持たせた液体容器の注ぎ口。
【考案の詳細な説明】
【０００１】
【考案が解決しようとする課題】
従来、ドレッシングなど容器内において油脂が他の成分と分離して上部に溜まるため、注ぐとき油脂が多く出過ぎ、容器を振る事によっても解決しない、という問題点を有していた。
【０００２】
【課題を解決するための手段】
上記の問題点を解決するために容器内部に管１を取り付け側面に切り込みＥをほどこすようにした。
【０００３】
【考案の効果】
容器を傾け内部の成分を注ぐとき切り込みＥを下側にすることによって油脂は出口をさえぎられる、そのため油脂の余分な流出を押えることが出来る、また油脂以外の比重の異なる液体についても同じ効果が得られる。
【図面の簡単な説明】
【図１】（姿図）容器を横に見た図である。
【図２】（い−ろ断面図）注ぎ口から１の断面である。
【図３】（Ａ−Ｂ断面図）容器内部の管１の断面である。
【符号の説明】
１　容器内部の管
２　容器
３　注ぎ口
４　キャップ
Ｃ　容器内部の管の切り込み長さ
Ｄ　容器内部の管の内径
Ｅ　容器内部の管の切り込み巾
Ｃ、Ｄ、Ｅ　寸法は液体の成分及び容器の材質、形状により決める
Ｅ　位置は容器の形状により決める
【図１】
0003097915.tif 000003
【図２】
0003097915.tif 000004
【図３】
0003097915.tif 000005
(57)【要約】【課題】従来の字幕データ入力機器は、キーボードに配置されたキー又はマウス等を手元操作することにより、画面の早送り・巻戻し・再生等の操作をする必要があり、その度ごとに、入力作業を中断しなければならず、作業ロスが発生していた。【解決手段】字幕データ入力機器（１）に、画面の早送り・巻戻し・再生等の操作を足で行うことのできるフットスイッチ（４）のあるフットボード（５）を取付けることにより、入力作業を中断することなく、画面の早送り・巻戻し・再生操作等を行えるようにし、作業ロスをなくすことができた。【選択図】　図１
0003097912.tif 000002
【実用新案登録請求の範囲】
【請求項１】
字幕データの入力機器（１）に、キーボード（２）又はマウス（３）以外で、画像の早送り・巻戻し・再生等の操作を足で行えるフットスイッチ（４）のあるフットボード（５）を取付けた字幕データ入力機器。
【考案の詳細な説明】
この考案は、字幕データ入力機器に、画像の早送り・巻戻し・再生等を足で操作できるフットスイッチを取付けたものである。従来の字幕データ入力機器は、キーボードに配置されたキー操作、又は、画面をマウスでクリックする等、手元操作を行うことにより、入力画面の早送り・巻戻し・再生等を行っていた。そのため、入力画面や入力データのチェック作業で、早送り・巻戻し・再生等を行うごとに、入力作業を中断する必要があり、作業ロスが発生していた。
本案はその欠点を除くために考案したもので、それを図面について説明すれば、字幕データ入力機器（１）に、キーボード（２）又はマウス（３）以外で、画像を早送り・巻戻し・再生等の操作を足で行うことができるフットスイッチ（４）のあるフットボード（５）を取付ける。これは足で操作するものであればよく、スイッチ及びフットボードの方式、形状、材質等に制約はない。
本案は、このような構成であるから、キーボードでの入力作業を中断することなく、画面の操作を同時に行うことができる。したがって、字幕の入力作業効率を格段に向上させることができる。
【図面の簡単な説明】
【図１】本案の斜視図
【符号の説明】（１）字幕入力機　（２）キーボード　（３）マウス
（４）フットスイッチ　（５）フットボード
【図１】
0003097912.tif 000003
(57)【要約】　　　（修正有）【課題】滑りを防ぎ、生ごみの水切りが良く、経済的負担、家事労働の負担を軽くする。【解決手段】排水口本体つばの段差９に本考案バスケット置き１あるいは５を載置し、其の孔に排水口用バスケット１０を傾斜させて置く事で水切りができ、又、排水口用バスケットを空気に触れさせることで滑りを完全に防ぐことができる。【選択図】図３
0003097911.tif 000002
【実用新案登録請求の範囲】
【請求項１】
ステンレス等の錆びにくい材料製の丸い底板の外周部に、縁を設け、其の底板の中央部に、略半円弧の孔が穿設されている特長がある排水口用バスケット置き。
【請求項２】
前記、中央部に略半円弧の孔を穿設した丸い底板の外周部に一定の高さのある略凹状の縁を設けた請求項１記載の排水口用バスケット置き。
【考案の詳細な説明】
【０００１】
【考案の属する技術分野】
本考案は、流し台の排水口本体のつばの内側に設置し、其の孔に排水口用バスケットを、傾斜させて置く事ができる、排水口用バスケット置きに関するものである。
【０００２】
【従来の技術】
従来大多数の主婦は、排水口用バスケットを中に溜まった生ごみを捨てる時以外は、排水口本体内に常時設置していたので、滑り防止、水切りのために紙袋、及び網袋等を購入していた。
【０００３】
【考案が解決しようとする課題】
常時排水口本体内に排水口用バスケットを設置している事で滑りが生じ、滑り防止のために銅製のバスケットへの買い替え、又は、滑り防止用の紙袋および網袋等を購入し続けなければならず、経済的負担も多大でありそれらが家庭よりごみとして出される量も膨大である。
【０００４】
又、排水口用バスケットは常時排水口本体内に水平に設置されているので生ごみの水切りは手で行わなければならず、労働的負担である。
【０００５】
従って、排水口用バスケットを排水口本体から出し、排水口本体のつばの内側に設置された本考案の排水口用バスケット置きの孔に傾斜して置く事によって前述の欠点を解決しようとするもである。
【０００６】
【課題を解決するための手段】
丸い底板の外周に高さのある縁を設けた事で排水口本体のつばの段差に本考案排水口用バスケット置きを安定して設置できこれにより排水口用バスケットも安定して置く事ができる。又、底板中央部の略半円弧の孔は排水口用バスケットが傾斜するよう穿設したので排水口用バスケット内の生ごみの水切りもでき、且つ、排水口用バスケットを空気に触れさせる事により滑りを完全に防げる。
【０００７】
【考案の実施の形態】
以下、本考案の排水口用バスケット置きの実施の形態を図面と共に説明する。図１は本考案第１実施例における、排水口用バスケット置きの斜視図である。図１において１は排水口用バスケット置き本体、２は丸い底板、３は略半円弧状の孔、３ａは孔３の直線部、３ｂは孔３の曲線部、４は丸い底板の外周部に設けた高さのある縁である。
【０００８】
図２は本考案第２実施例における排水口用バスケット置きの斜視図である。５は排水口用バスケット置き本体、６は丸い底板の外周部に設けた一定のたかさのある略凹状の縁、７は略凹状の縁６の底部である。２、３、３ａ、３ｂは第１実施例と同じなので省略する。
【０００９】
なお前記した外周部縁４、及び６の直径は、排水口本体つば８の内側に設置できる長さであり、又、それらの高さは排水口本体つばの段差９と略同じである。
【００１０】
又、第１実施例、第２実施例共通の孔３の直線３ａの長さは排水口用バスケットの略直径、３ｂの曲線はバスケットが傾斜するように形成されている。
【００１１】
【考案の効果】
上述の様に本考案の排水口用バスケット置きは生ごみの水切りに効果があり、又、滑りを防ぐ事により家事労働の軽減に役立つばかりではなく、従来の技術による経済的負担を減らし、且つ家庭から出るごみの軽減にも役立つのである。
【図面の簡単な説明】
【図１】本考案第１実施例全体斜視図である。
【図２】本考案第２実施例全体斜視図である。
【図３】本考案第１実施例使用時の断面図である。
【図４】本考案第２実施例使用時の断面図である。
【符号の説明】
１　　　本考案第１実施例排水口用バスケット置き
２　　　丸い底板
３　　　略半円弧の孔
３ａ　　同上の直線部
３ｂ　　同上の曲線部
４　　　縁
５　　　本考案第２実施例排水口用バスケット置き
６　　　略凹状の縁
７　　　略凹状の縁の底部
８　　　排水口本体つば
９　　　排水口本体つばの段差
１０　　排水口用バスケット
１０ａ　排水口用バスケットの小孔
【図１】
0003097911.tif 000003
【図２】
0003097911.tif 000004
【図３】
0003097911.tif 000005
【図４】
0003097911.tif 000006
(57)【要約】【課題】少ない火力で炭を燃焼させ、時間的、労働的負担を少なくする。【解決手段】炭と３種類の大きさの違う長方形の木材を混合させた状態で、木材小１に着火する。それを混合させたものの中に入れることにより、木材中２、木材大３へと火が燃え移り炭を燃焼させるのに十分な火力がえられる。【選択図】　図３
0003097916.tif 000002
【実用新案登録請求の範囲】
【請求項１】
化学薬品を一切使用していない蒲鉾板専用の自然木を利用し、それを３種類の大きさに加工することによって、炭と併用する際に着火を早め、炭を燃焼させるのに十分な火力を得ることができるもの。
【考案の詳細な説明】
【０００１】
【考案の属する技術分野】
本考案は、炭を使用する際、炭と３種類の火の着きやすい長方形に加工した木材を混合させ、マッチやライターなどの少ない火力でこの木材に着火する。そうすることにより化学薬品を一切使わず、火が段階を追って木材に着火し、加熱、火力維持の作用をする。その結果、炭を燃焼させるために十分な火力が少ない時間で得られる。
【０００２】
【従来の技術】
従来、炭を燃焼させるためには十分な火力が必要であったために、マッチやライターなどの少ない火力だけでは炭を燃焼させることは困難であった。
【０００３】
【考案が解決しようとする課題】
前述の問題のように炭に着火し十分燃焼させるには、時間的、労働的負担が大きい。それを３種類の木材を使用することにより、解決しようとするものである。
【０００４】
【課題を解決するための手段】
本考案は大きさの違う木材小１、木材中２，木材大３を炭と混合させて使用することにより問題を解決している。
【０００５】
【考案の実施の形態】
本考案は図面について説明すれば、先ず炭と３種類の木材を混ぜたものを用意し、少ない火力で一つの木材小１に着火し、それを混ぜたものの中に入れる。
【０００６】
【考案の効果】
このようにすれば、化学薬品を使わずマッチやライターなどの少ない火力だけで着火することができ、順を追って木材中２で加熱し、木材大３で火力維持をし、炭を燃焼することができる。また、時間的、労働的負担を少なくすることができる。
【図面の簡単な説明】
【図１】木材小１、木材中２、木材大３の断面図である。
【図２】木材小１、木材中２、木材大３の平面図である。
【図３】木材小１、木材中２、木材大３の立面図である。
【図１】
0003097916.tif 000003
【図２】
0003097916.tif 000004
【図３】
0003097916.tif 000005
(57)【要約】【課題】魚釣りの際のフッキングを容易にし、水中での姿勢を良好にする等の種々の特徴を備えた釣針を提供することである。【解決手段】透明又は半透明の材料で形成されていることを特徴とする釣針（１０、２０）が提供される。本考案の釣針は、軸部（１２、２２）と、湾曲部（１４、２４）と、ポイント部（１６、２６）とを有し、湾曲部の横断面が円形形状又は涙滴形状であることを特徴とする。本考案の釣針は、ルアータイプのものにも適用可能である。【選択図】　図１
0003097990.tif 000002
【実用新案登録請求の範囲】
【請求項１】
透明又は半透明の材料で形成されていることを特徴とする釣針。
【請求項２】
湾曲部を有し、前記湾曲部の横断面が円形形状又は涙滴形状であることを特徴とする請求項１に記載の釣針。
【考案の詳細な説明】
【０００１】
【考案の属する技術分野】
本考案は一般に、釣針に関する。より詳細には、本考案は、魚釣りの際のフッキングを容易にした釣針に関する。
【０００２】
【考案が解決しようとする課題】
釣糸は一般的に透明であるため魚には見えにくいが、釣糸の先端に取付ける釣針は鉄製であるため、魚にも良く見える。したがって、魚はエサ等の付いた釣針に向かってくるが、釣針に気付いて、途中で引き返すことが多い。また、釣針の横断面は円形のものが一般的であるため、釣糸を水中に垂らしたときに、水の抵抗により釣針の姿勢を良好に保持することができないという課題があった。さらに、釣針に釣糸を通す際、針穴が小さいため、釣糸を通しにくく、また、釣糸が細いため、魚がかかったとしても、釣糸が切れてしまうことがあった。
【０００３】
本考案は、上述のような課題を克服するために案出されたものであって、魚釣りの際のフッキングを容易にし、水中での姿勢を良好にする等の種々の特徴を備えた釣針を提供することを目的としている。
【０００４】
【課題を解決するための手段】
本願請求項１に記載の釣針は、透明又は半透明の材料で形成されていることを特徴とするものである。
【０００５】
本願請求項２に記載の釣針は、請求項１の釣針において、湾曲部を有し、前記湾曲部の横断面が円形形状又は涙滴形状であることを特徴とするものである。
【０００６】
【考案の実施の形態】
次に図面を参照して、本考案の好ましい実施の形態について詳細に説明する。図１において全体として参照符号１０で示される本考案の第１の実施の形態に係る釣針は、軸部１２と、ほぼ半円形に湾曲した湾曲部１４と、湾曲部１４の先端に設けられたポイント部１６とを備えている。
【０００７】
軸部１２は、ほぼ直線状に形成されており、軸部１２の湾曲部１４とは反対側の端には、針穴１８が設けられている。針穴１８の直径ｄ２　と軸部の直径ｄ１　は、好ましくは、以下に示すような関係を有するように、選定されている。
１≦（ｄ２　／ｄ１　）≦２
【０００８】
釣針１０は、透明又は半透明の材料で形成されている。透明又は半透明の材料としては、例えば、硬質プラスチック、硬質ガラス、或いは、ポリカーボネート樹脂又はアクリル樹脂にガラス繊維を混合したものがあげられる。ガラス繊維の混合量としては、通常、約１０重量％〜約３０重量％である。
【０００９】
図２（ａ）及び図２（ｂ）は、釣針１０の各部の横断面形状を示した図である。釣針１０の軸部１２、湾曲部１４、及びポイント部１６は、図２（ａ）に示されるように、円形断面にしてもよい。或いは、釣針１０の軸部１２、及びポイント部１６を円形断面にし、湾曲部１４を、図２（ｂ）に示されるように、内側（図１では上側）が尖った涙滴形状にしてもよい。湾曲部１４を涙滴形状にすることにより、水流の抵抗が少なくなるので釣針を水中に垂らしたとき素早く沈むという効果が得られる。また、涙滴形状にすると、流れに対しての方向性が生じ、釣針１０の姿勢を良好に保持することができるという効果も生ずる。さらに、涙滴形状は、曲げ強度、剪断強度が大きくなるという利点も有している。なお、図１における矢印Ａ−Ａは軸部１２の断面、矢印Ｂ−Ｂは湾曲部１４の断面、矢印Ｃ−Ｃはポイント部１６の断面を示している。
【００１０】
図３は、本考案の第２の実施の形態に係る釣針２０を示した図である。釣針２０は、錨形形状である点を除いて、釣針１０と実質的に同一の構成を有している。すなわち、釣針２０は、軸部２２と、３つの湾曲部２４と、３つのポイント部２６とを備えており、ポイント部２６の端に、針穴２８が設けられている。針穴２８の直径は、釣針１０と同様である。また、釣針２０は、釣針１０と同様に、透明又は半透明の材料で形成されている。さらに、釣針２０の各部の横断面は、釣針１０の上述の横断面と同様にすることができる（すなわち、湾曲部２４を涙滴形状にしてもよい）。
【００１１】
図４は、カディスというドライフライを用いた釣針１０の一使用態様を示した図である。また、図５は、ルアーを用いた釣針２０の一使用態様を示した図である。なお、図４及び図５においては、透明又は半透明性を示すため、釣針１０、２０が破線で示されている。
【００１２】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００１３】
例えば、前記実施の形態では、釣針１０、２０に針穴１８、２８が設けられているが、針穴を設けずに、釣糸を軸部に直接結び付ける形式を採用してもよい。
【００１４】
【考案の効果】
本考案によれば、透明又は半透明の材料で釣針が形成されているため、魚には釣針が見えず、フッキング率を向上させることができる。また、湾曲部の横断面を涙滴形状にすることにより、釣針の素早い沈下、釣針の良好な姿勢の保持、強度の向上等の効果を得ることができる。
【図面の簡単な説明】
【図１】本考案の第１の実施の形態に係る釣針を示した図である。
【図２】図１の釣針の各部の横断面を示した図である。
【図３】本考案の第２の実施の形態に係る釣針を示した図である。
【図４】図１の釣針の一使用態様を示した図である。
【図５】図３の釣針の一使用態様を示した図である。
【符号の説明】
１０、２０　釣針
１２、２２　軸部
１４、２４　湾曲部
１６、２６　ポイント部
１８、２８　針穴
【図１】
0003097990.tif 000003
【図２】
0003097990.tif 000004
【図３】
0003097990.tif 000005
【図４】
0003097990.tif 000006
【図５】
0003097990.tif 000007
(57)【要約】【課題】本考案は、テープの両側に、内側に粘着面を有する部分を備えることで、ペットの耳の頭頂部への固定を容易にする。【解決手段】本考案は、テープ部分１の両側にそれぞれ内側に粘着面を有する挟み込み部分２，３，４，５，を備え、２，３でペットの片耳を挟み込み、４，５で反対の耳を挟み込むことで、容易にペットの耳を頭頂部に固定することができる。【選択図】　　図１
0003097986.tif 000002
【実用新案登録請求の範囲】
【請求項１】
テープの両側に、広幅で内側に粘着面を有する部分を備えることで、容易にペットの耳たぶを頭頂部に固定させるられる構造であるところを特徴とした、ペットの耳止めテープ
【考案の詳細な説明】
【０００１】
【考案の属する技術分野】
本考案は、内側に粘着面を有する部分を両側に備えた、テープに関するものである。
【０００２】
【従来の技術】
普段垂れているペットの耳たぶを頭頂部に固定しようとする場合、医療用、あるいは荷造り用などの片面のみの粘着テープを二枚用いて、挟み込むように貼り付け、固定していた。
【０００３】
【考案が解決しようとする課題】
世界中からペットが輸入されている現在、日本の高温多湿の気候による耳蒸れのための、炎症、耳あかの増加、悪臭などのトラブルが多く発生しているにもかかわらず、耳を頭頂部に固定するための用品がなかった。従って、容易にペットの耳を頭頂部に固定できるテープを作ることにより、ペットの耳蒸れによる問題を解決しようとするものである。
【０００４】
【課題を解決するための手段】
本校案は、一本のテープの両側に、内側に粘着面を有する部分を備え、片耳ずつ挟み込むことでペットの垂れ耳を容易に頭頂部に固定させられるようにし、問題点を解決している。
【０００５】
【考案の実施の形態】
中心部分は、通常のテープの形状をしているが、両側の粘着部分は、粘着面を大きくする目的で幅を広くし、それぞれの粘着面をフィルムで覆い、使用時まで保護する。
【０００６】
【実施例】
以下、添付図面に従って一実施例を説明する。１は左右の耳をつなぎ頭頂部に固定するテープ部分。２、３，４，５は粘着部分を有する挟み込み部分、６は２の内側にある保護フィルムで、使用時にはこのフィルムを剥がし、まずペットの片耳の表側に２を貼り付ける。
【０００７】
同様に、３の挟み込み部分のフィルムを剥がし、耳の裏側から押さえるように挟み込む。
【０００８】
次に、もう一方の耳を、同様に４，５の挟み込み部分で挟み込むことで、ペットの耳は頭頂部に固定されることになる。
【０００９】
【考案の効果】
上述のように、本考案の耳止めテープを用いることで、容易に耳を頭頂部に固定することができ、耳蒸れによる、炎症、悪臭などを予防し、また治療の推進に役立つのである。
【図面の簡単な説明】
【図１】本考案の正面図である。
【図２】本考案の挟み込み部分２の内側の図である。
【図３】本考案をペットに使用した場合の実施例の図である。
【符号の説明】
１　　中心テープ部分
２、３、４、５　　挟み込み部分
６　　フィルム
【図１】
0003097986.tif 000003
【図２】
0003097986.tif 000004
【図３】
0003097986.tif 000005
(57)【要約】【課題】クロッチ部に防水布を違和感なく付着したサニタリショーツを提供することである。【解決手段】前身頃１と後身頃２及びクロッチ部３から成るショーツにおいて、前記クロッチ部３の内面に、防水布１０の両側部を縫着し、両端部を融着テープによって接着したことを特徴とする。【選択図】　図１
0003097938.tif 000002
【実用新案登録請求の範囲】
【請求項１】
前身頃と後見頃及びクロッチ部から成るショーツにおいて、前記クロッチ部内面のほぼ全面に、防水布の少くとも両端部を融着テープによって接着し、両側部を縫着したことを特徴とするサニタリショーツ。
【請求項２】
前身頃と後見頃及びクロッチ部から成るショーツにおいて、前記クロッチ部の内面のほぼ全面及びクロッチ部のほぼ後端から後見頃にわたって防水布をあてがいこの防水布の少くとも先端部及び後身頃に対応する両側部を融着テープによって接着し、防水布のクロッチ部に対応する両側部及び後身頃に対応する後端部を縫着したことを特徴とするサニタリショーツ。
【請求項３】
前記防水布のクロッチ部に対応する両側部近辺に沿って融着テープを長さ方向に挿入し、テンションを与えながら熱圧着した請求項１または２に記載のサニタリショーツ。
【請求項４】
前記防水布のクロッチ部に対応する巾方向に融着テープを挿入し、テンションを与えながら熱圧着した請求項１または２に記載のサニタリショーツ。
【考案の詳細な説明】
【０００１】
【考案の技術分野】
この考案は、生理時などに着用するサニタリショーツに関する。
【０００２】
【従来の技術】
この種のショーツには、従来からクロッチ部に防水布が縫い着けられている。通常、この防水布の側縁部は、股口に設けられるレース飾りと共に縫合されるが、防水布の両端部は直接クロッチ部に縫合されるため、クロッチ部内面に縫合畝が形成され、着用者に違和感を与え、外観的にも好ましくない問題がある。
【０００３】
【考案の課題】
そこで、この考案の課題は、クロッチ部に防水布を違和感なく付着したサニタリショーツを提供することである。
【０００４】
【課題の解決手段】
上記の課題を解決するために、この考案は、前身頃と後見頃及びクロッチ部から成るショーツにおいて、前記クロッチ部内面のほぼ全面に、防水布の少くとも両端部を融着テープによって接着し、両側部を縫着したことを特徴とする。また、前記防水布を後身頃まで延長し、その両側部を融着テープによって接着し、後端部を縫着したものでもよい。
【０００５】
前記防水布の両側部近辺に沿って融着テープを長さ方向に挿入し、テンションを与えながら熱圧着してもよく、或は巾方向に融着テープを挿入し、テンションを与えながら熱圧着することもできる。
【０００６】
【実施の形態】
以下、この考案の実施形態を添付図面に基づいて説明する。図１及び図２に示すように、この考案のサニタリショーツは、腹部を被う前見頃１と、ヒップ部及びその周辺を被う後身頃２と、股下部に対応するクロッチ部３より成り、前身頃１と後身頃２は縫目４、４で接続されて筒状体を形成し、その上部には弾性パワーの大きいウエストバンド５が縫着されている。また、筒状体の下部には、はき口６、６が形成され、その周縁はレースなどの伸縮性縁飾りテープ７が縫着されている。
【０００７】
前記クロッチ部３の内面には、ほぼ全面に防水布１０が設けられている。この防水布１０は、図３に示すように、クロッチ部３の形状に合せて両側縁が内側に弯曲し、両端縁はほぼ円弧状になっている。そして、防水布１０の両側縁は、前記伸縮性テープ７と共に縫合帯１１、１１で縫い付けられ、両端縁は、薄い融着テープ１２、１２でクロッチ部３に接着されている。このテープ１２は、ポリウレタン等の低融点で伸縮性のよい合成樹脂フィルムより成り、厚みは１００μｍ〜５６０μｍ程度であり、防水布１０とクロッチ部３の生地との間に挟んで熱圧着することにより、防水布１０が生地に接着される。勿論、融着テープまたはフィルムを防水布１０の全面に沿わせて熱圧着してもよい。
【０００８】
図４に示すように、前記防水布１０を後身頃２の内面まで延長し、後身頃２に対応する両側部を融着テープ１２ａ、１２ａで熱圧着し、後端部をウエストバンド５と共に後身頃２の上端部に縫着する。このようなショーツは、ナイト用に好適である。図５は、融着テープ１２による熱圧着部の横断面を示している。
【０００９】
図６に示すように、融着テープ１３を防水布１０の長さ方向両側部に沿ってテンションをかけた状態で挾み込みクロッチ部３に熱圧着すると、外側に弓状に膨出しているクロッチ部３（図２参照）に沿った防水布１０を収縮させるように融着テープ１３が引張り、人体の股下部に密着させる。また、図７に示すように、融着テープ１４を防水布１０の巾方向にテンションをかけて挾み込みクロッチ部３に熱圧着すると、巾方向に弓状に膨出しているクロッチ部３に沿った防水布１０を収縮させるように融着テープ１４が引張り、人体の股下部に密着させることができる。
【００１０】
前記ショーツの生地は綿・ポリエステル、綿・ポリウレタン、綿・アクリル・ポリウレタン等の混紡糸やポリウレタン弾性糸のカバードヤーンを編糸とした経編組織のトリコット生地、緯編組織の平編生地などが用いられる。また、前身頃、クロッチ部、後身頃の連続した丸編編地から形成されたショーツのほか、前身頃、クロッチ部、後身頃を所謂立体裁断してこれらを縫製したショーツであってもよい。
【００１１】
【考案の効果】
この考案によれば、以上のように、クロッチ部内面に防水布の少くとも両端部を薄い融着テープで接着したので、防水布が平坦に密着して凹凸線が現れないため、着用者に違和感を与えず外観的にも良好である。
【００１２】
また、防水布をクロッチ部に熱圧着する際に、長さ方向または巾方向に別の融着テープにテンションを与えて挿入すると、防水布を長さ方向または巾方向に引張るので、人体の股下部によくフィットする利点がある。
【図面の簡単な説明】
【図１】この考案のショーツの一例を示す正面図
【図２】同上の側面図
【図３】クロッチ部の内側から見た平面図
【図４】クロッチ部及び後身頃を展開した平面図
【図５】クロッチ部の横断面図
【図６】防水布の付着方法の他の例を示す平面図
【図７】防水布の付着方法のさらに他の例を示す平面図
【符号の説明】
１　　前身頃
２　　後身頃
３　　クロッチ部
４　　縫目
５　　ウエストバンド
６　　はき口
７　　伸縮テープ
１０　防水布
１１　縫合帯
１２，１２ａ　融着テープ
１３　融着テープ
１４　融着テープ
【図１】
0003097938.tif 000003
【図２】
0003097938.tif 000004
【図３】
0003097938.tif 000005
【図４】
0003097938.tif 000006
【図５】
0003097938.tif 000007
【図６】
0003097938.tif 000008
【図７】
0003097938.tif 000009
(57)【要約】【課題】般若心経を覚えるのが大変なので誰でもが流行歌のカラオケのように覚えやすくするものである。又、覚えれなくとも画面を読んでいけば間違いなく最後まで唱えることができる。従来の教本はその都度ページをめくらなくてはならず手間でもあるし、お坊さんと一緒に読んでいる場合どの部分を読んでるか解らず合わすのが大変なときがある。又忙しい時でも仏前にお経を絶えずながしておくことができる。般若心経を覚えることが出来ない人の為にたやすく唱和できるようにする物である。【解決手段】音声だけでなく画面に音声と同時に経文を表示させそれを読むことで解決するものである。音声をスピーカーで経文を画面で同時進行で映し出す。【選択図】図１
0003097973.tif 000002
【実用新案登録請求の範囲】
【請求項１】
般若心経の経文を小型ディスプレイ画面に流し尚且つ、スピーカーより同時に経文を読んでる音声を出す。
【考案の詳細な説明】
般若心経の音声テープはすでに販売されているが音声だけでなく同時に経文の文面を画面に映し誰もが同時にお経を唱えることができるようにするものである。
【０００１】
【考案の属する技術分野】
本考案は、仏壇前や何処ででも般若心経の音声を出力及び誰でもが唱えることができる
【０００２】
【従来の技術】音声テープの物は今まであったがそれをカラオケ仕様にしたものである。
【０００３】
【考案が解決しようとする課題】
般若心経を覚えることが出来ない人の為にたやすく唱和できるようにする物である。
【０００４】
【課題を解決しようと手段】
音声だけでなく小型ディスプレイ画面に音声と同時に経文を表示させそれを読むことで解決するものである。
【０００５】
【考案の実施の形態】
小型ディスプレイ画面に経文を表示させスピーカーから音声を同時に流す。
【０００６】
【考案の効果】誰もたやすく般若心経を何処でもいつでも唱えることができる。
【図面の簡単な説明】
【図面１】本考案の正面図である。
【図１】
0003097973.tif 000003
【手続補正書】
【提出日】平成15年6月19日(2003.6.19)
【手続補正１】
【補正対象書類名】明細書
【補正対象項目名】全文
【補正方法】変更
【補正の内容】
【考案の詳細な説明】
【実用新案登録請求の範囲】
【請求項１】般若心経の経文を文字で表示する小型ディスプレイと般若心経の経文の音声を出音するスピーカーとを有する般若心経音声カラオケ装置。
【考案の詳細な説明】
【０００１】
【考案の属する技術分野】
本考案は、仏壇前や何処ででも般若心経の文字を見ながら音声を出力して、それに唱和して誰でもが唱えることが出来る、般若心経音声多重カラオケに関するものである。
【０００２】
【従来の技術】
音声テープの物は今まであった。
【０００３】
【考案が解決しようとする課題】
本考案は、般若心経を覚えることが出来ない人の為に音声の他に文字でも表示し、たやすく唱和できるようにすることを目的とする。
【０００４】
【課題を解決しようと手段】
本考案は、般若心経の経文を文字で表示する小型ディスプレイと般若心経の経文の音声を出音するスピーカーとを有するものである。
【０００５】
【考案の実施の形態】
図１は本考案の般若心経音声多重カラオケ装置を示すものであって小型ディスプレイ１に経文を表示させスピーカー２から同時に音声を出音させディスプレイ１の文字を読みながらスピーカー２から流れ出る音声に合わせて、経文を唱和する。
３は速さ調節ボタン、４は音量ボタンである。
【０００６】
【考案の効果】
誰もがたやすく般若心経を何処でもいつでも唱えることができる。
【図面の簡単な説明】
【図１】
本考案の正面図である。
【符号の説明】
１．ディスプレイ
２．スピーカー
３．速さ調節ボタン
４．音量ボタン
【手続補正２】
【補正対象書類名】図面
【補正対象項目名】図１
【補正方法】変更
【補正の内容】
【図１】
0003097973.tif 000004